(57)【要約】【課題】クランプ装置のノブを必要以上の力で回しても、雄ネジシャフトが曲がってしまうようなことがなく、雄ネジシャフトによる締め付けを常に適正なものとできて、置き台ごと輸液ポンプが落下する事故を確実に防止できるクランプ装置の提供。【解決手段】外嵌部２１を掴んでノブ１７を回し、進退把持部１１をポール６１に対し近接させて外周面に圧接する状態になり、ノブ１７を雄ネジシャフト９が締まる方向へ回す力が一定の値より大きくなると、凸部３８が傾斜面３４ａを上る方向へ滑走し、さらに凸部３８が凸部３４を越える。これにより、凸部３８と傾斜面３４ａとの係合が解除され、外嵌部２１が固定部１９に対し空転する。従って、クランプ装置１のノブ１７を必要以上の力で回しても、外嵌部２１を回している力は雄ネジシャフト９には伝達されず、雄ネジシャフト９は回転しない。よって、雄ネジシャフト９による締め付けを常に適正なものとできる。【選択図】        図７
2014226339.tif 000002
【特許請求の範囲】
【請求項１】
スタンドのポールの一方の外周面を把持する固定把持部と前記固定把持部に対向して設けられた起立形状部とを有するクランプ基部と、
前記起立形状部を貫通する雌ネジ穴と、前記雌ネジ穴に螺合し一端が前記起立形状部の内面から突出し、且つ他端が起立形状部の外面から突出する雄ネジシャフトと、前記雄ネジシャフトの一端に取り付けられた進退把持部と、前記雄ネジシャフトの他端に取り付けられたノブとを有し、前記ノブを前記雄ネジシャフトが締まる方向へ回して前記進退把持部を前記固定把持部に対し近接させ前記ポールの他方の外周面に前記進退把持部を圧接させ、前記固定把持部と前記進退把持部によってポールをクランプし、前記ノブを前記雄ネジシャフトが緩む方向へ回して前記進退把持部を前記固定把持部に対し離間させ前記ポールに対するクランプを解除するクランプ装置において、
前記ノブは雄ネジシャフトの他端に固定される固定部と、前記固定部に対し外嵌めされる外嵌部とから成り、前記外嵌部を掴んで前記ノブを前記雄ネジシャフトが締まる方向へ回す力が一定の値より大きくなると、前記外嵌部を前記固定部に対し空転させる空転手段を備えたことを特徴とするクランプ装置。
【請求項２】
請求項１に記載したクランプ装置において、空転手段は前記固定部の外周面と前記外嵌部の内周面のいずれか一方に形成された係合部と、他方に形成され前記係合部が係合する被係合部とから成り、前記外嵌部を掴んでノブを回す力が一定以下のときは前記係合部が前記被係合部に係合して外嵌部と固定部とが一体に回り、ノブを回す力が一定より大きくなると前記係合部と前記被係合部との係合が解除されて前記外嵌部が前記固定部に対し空転することを特徴とするクランプ装置。
【請求項３】
請求項２に記載したクランプ装置において、係合部は互いに間隔を空けて配置され凸部によって構成され、被係合部は互いに間隔を空けて配置される前記凸部が圧接する傾斜面によって構成されており、外嵌部を掴んでノブを雄ネジシャフトが締まる方向へ回す力が一定以下のときは前記凸部が前記傾斜面に圧接して係合した状態となって、外嵌部と固定部とが一体に回り、前記外嵌部を回す力が一定より大きくなると、前記凸部が前記傾斜面を上る方向へ滑走して、前記凸部と前記傾斜面との係合が解除されて前記外嵌部が前記固定部に対し空転することを特徴とするクランプ装置。
【請求項４】
請求項３に記載したクランプ装置において、雄ネジシャフトを緩む方向へ回るときに凸部が係合する段部が形成されていることを特徴とするクランプ装置。
【請求項５】
請求項２から４のいずれかに記載したクランプ装置において、係合部どうしの間と被係合部どうしの間の少なくとも一方に切り欠きが形成されていることを特徴とするクランプ装置。
【発明の詳細な説明】
【技術分野】
【０００１】
本発明はクランプ装置に係り、例えばスタンドのポールの途中に輸液ポンプが載置される置き台を支持するためのクランプ装置に関するものである。
【背景技術】
【０００２】
点滴に用いられる輸液ポンプはスタンドのポールの途中に置き台に載置されて備えられる。この置き台はクランプ装置によってポールの途中部分に固定される。この種のクランプ装置としては、例えば特許文献１に記載されるものがある。クランプ装置は、スタンドのポールの一方の外周面を把持する固定把持部と、固定把持部に対向して設けられた起立形状部を備えたクランプ基部を有している。
起立形状部には雌ネジ穴が形成され、雌ネジ穴には雄ネジシャフトが螺合し、雄ネジシャフトの起立形状部の内面から突出する一端部には進退把持部が取り付けられている。また、雄ネジシャフトの起立形状部の外面から突出する他端部にはノブが取り付けられている。
そして、ノブを雄ネジシャフトが締まる方向へ回して進退把持部を固定把持部に対し近接させポールの他方の外周面に進退把持部を圧接させ、この固定把持部と進退把持部によってポールをクランプする。
【０００３】
輸液ポンプは重量があるため、クランプ装置のノブを回して、雄ネジシャフトを締め付け、固定把持部と進退把持部によってポールをある程度の力でクランプしておかないと、クランプ装置がポールから外れて、置き台ごと輸液ポンプが落下して思わぬ事故が起きてしまうおそれがある。従って、輸液ポンプの落下を確実に防止しようとして、心理的に必要以上の力でノブを回してしまう傾向がある。
【先行技術文献】
【特許文献】
【０００４】
【特許文献１】特開２００９−４５１１４号公報
【発明の概要】
【発明が解決しようとする課題】
【０００５】
しかしながら、上記のようにあまり大きな力でノブを回すと、雄ネジシャフトが曲がってしまうなどしてクランプ装置を壊してしまうおそれがある。
【０００６】
本発明は上記従来の問題に着目して為されたものであり、クランプ装置のノブを必要以上の力で回しても、雄ネジシャフトを常に適正な力で締めることができて、雄ネジシャフトが曲がってしまったりすることがなく、しかも置き台ごと輸液ポンプが落下する事故を確実に防止できるクランプ装置の提供を、その目的とする。
【課題を解決するための手段】
【０００７】
本発明は上記課題を解決するためになされたものであり、請求項１の発明は、スタンドのポールの一方の外周面を把持する固定把持部と前記固定把持部に対向して設けられた起立形状部とを有するクランプ基部と、
前記起立形状部を貫通する雌ネジ穴と、前記雌ネジ穴に螺合し一端が前記起立形状部の内面から突出し、且つ他端が起立形状部の外面から突出する雄ネジシャフトと、前記雄ネジシャフトの一端に取り付けられた進退把持部と、前記雄ネジシャフトの他端に取り付けられたノブとを有し、前記ノブを前記雄ネジシャフトが締まる方向へ回して前記進退把持部を前記固定把持部に対し近接させ前記ポールの他方の外周面に前記進退把持部を圧接させ、前記固定把持部と前記進退把持部によってポールをクランプし、前記ノブを前記雄ネジシャフトが緩む方向へ回して前記進退把持部を前記固定把持部に対し離間させ前記ポールに対するクランプを解除するクランプ装置において、
前記ノブは雄ネジシャフトの他端に固定される固定部と、前記固定部に対し外嵌めされる外嵌部とから成り、前記外嵌部を掴んで前記ノブを前記雄ネジシャフトが締まる方向へ回す力が一定の値より大きくなると、前記外嵌部を前記固定部に対し空転させる空転手段を備えたことを特徴とするクランプ装置である。
【０００８】
請求項２の発明は、請求項１に記載したクランプ装置において、空転手段は前記固定部の外周面と前記外嵌部の内周面のいずれか一方に形成された係合部と、他方に形成され前記係合部が係合する被係合部とから成り、前記外嵌部を掴んでノブを回す力が一定以下のときは前記係合部が前記被係合部に係合して外嵌部と固定部とが一体に回り、ノブを回す力が一定より大きくなると前記係合部と前記被係合部との係合が解除されて前記外嵌部が前記固定部に対し空転することを特徴とするクランプ装置である。
【０００９】
請求項３の発明は、請求項２に記載したクランプ装置において、係合部は互いに間隔を空けて配置され凸部によって構成され、被係合部は互いに間隔を空けて配置される前記凸部が圧接する傾斜面によって構成されており、外嵌部を掴んでノブを雄ネジシャフトが締まる方向へ回す力が一定以下のときは前記凸部が前記傾斜面に圧接して係合した状態となって、外嵌部と固定部とが一体に回り、前記外嵌部を回す力が一定より大きくなると、前記凸部が前記傾斜面を上る方向へ滑走して、前記凸部と前記傾斜面との係合が解除されて前記外嵌部が前記固定部に対し空転することを特徴とするクランプ装置である。
【００１０】
請求項４の発明は、請求項３に記載したクランプ装置において、雄ネジシャフトを緩む方向へ回るときに凸部が係合する段部が形成されていることを特徴とするクランプ装置である。
【００１１】
請求項５の発明は、請求項２から４のいずれかに記載したクランプ装置において、係合部どうしの間と被係合部どうしの間の少なくとも一方に切り欠きが形成されていることを特徴とするクランプ装置である。
【発明の効果】
【００１２】
本発明のクランプ装置によれば、ノブを回して一定以上の力以上でポールに対して締め付け固定するとノブの外嵌部が空転するため、クランプ装置のノブを必要以上の力で回しても、雄ネジシャフトによる締め付けを常に適正なものとできて、雄ネジシャフトが曲がってしまうようなことがなく、しかも置き台ごと輸液ポンプが落下する事故を確実に防止することができる。
【図面の簡単な説明】
【００１３】
【図１】本発明のクランプ装置によって輸液ポンプをスタンドのポールの途中に支持した状態の斜視図である。
【図２】図１のクランプ装置のノブの斜視図である。
【図３】図１のクランプ装置のノブの分解斜視図である。
【図４】図１のクランプ装置のノブの外嵌部の斜視図である。
【図５】図１のクランプ装置をスタンドのポールに固定する方法を説明するための平面図である。
【図６】図１のクランプ装置の凸部が傾斜面に圧接して係合している状態を示す断面図である。
【図７】図１のクランプ装置の凸部が傾斜面を上る方向へ滑走している状態を示す断面図である。
【図８】図１のクランプ装置の凸部と傾斜面との係合が解除された状態を示す断面図である。
【発明を実施するための形態】
【００１４】
本発明の実施の形態に係るクランプ装置１を図面にしたがって説明する。
符号２はクランプ基部を示し、このクランプ基部２は略コの字型に形成されている。クランプ基部２は固定把持部３と、この固定把持部３に対向して設けられた起立形状部５を有している。
固定把持部３の起立形状部５に対向する部分には上下方向へ延びる凹部４が設けられ、この凹部４は平面視略「く」の字形に形成されている。
【００１５】
起立形状部５には雌ネジ穴７が形成され、この雌ネジ穴７は図５において左右方向へ延びており起立形状部５を貫通している。
雌ネジ穴７には雄ネジシャフト９が螺合されており、雄ネジシャフト９の一端は起立形状部５の内面から突出し、且つ他端は起立形状部５の外面から突出している。雄ネジシャフト９の一端側には進退把持部１１が回動自在に取り付けられている。この進退把持部１１は平板の上下端部を固定把持部３側へ直角に曲げられて構成され、この直角に曲げた部分の先端部には平面視略「く」の字形の切り欠き１３が形成されている。
雄ネジシャフト９の他端側の外周面は、その一部が削除されており、平坦部１５が形成されている。
【００１６】
符号１７はノブを示し、このノブ１７は固定部１９と、固定部１９に対し外嵌めされる外嵌部２１とから構成されている。
固定部１９は、取り付け部２３、フランジ２５及び被嵌合部２７が一体に形成されて成る。
取り付け部２３の中心には取り付け穴２８が形成されており、この取り付け穴２８は雄ネジシャフト９の他端側がぴったり嵌まる形状を為している。取り付け部２３の外周面には平坦部２９が形成されている。取り付け部２３には、雌ネジ穴３１が形成されており、この雌ネジ穴３１は平坦部２９と取り付け穴２８に連通している。
【００１７】
フランジ２５は比較的厚みを有する円盤状を為しており、被嵌合部２７より直径が大きく形成されている。
被嵌合部２７は略円筒状を為しており、この被嵌合部２７はフランジ２５より直径が小さく形成されている。被嵌合部２７の外周面には、８つの切り欠き３３が設けられており、これらの切り欠き３３は前面から周面に連続して形成されている。切り欠き３３は互いに等しい間隔を空けて配置されている。
被嵌合部２７の外周面には４つの凸部３４が形成されており、これらの凸部３４は等間隔を開けて配置されている。凸部３４は２つの切り欠き３３を挟んで備えられている。凸部３４の反時計回り方向側の部分は被係合部としての傾斜面３４ａとなっており、時計回り方向側の部分は段部３４ｂとなっている。段部３４ｂは切り欠き３３の縁の近傍に設けられている。
【００１８】
外嵌部２１は有底の略円筒状を為しており、この外嵌部２１の後面には被嵌合部２７が嵌り込む嵌め込み穴３５が形成されている。
図４に示すように、嵌め込み穴３５の内周面には係合部としての８つの凸状基部３７が形成されており、これらの凸状基部３７は互いに等しい間隔を空けて配置されている。凸状基部３７は軸方向に延びており、外嵌部２１の底部に到達している。凸状基部３７は外嵌部２１の中心に向かって突出する係合部としての凸
部３８を有している。
凸部３８は図６において時計回り方向側の部分が緩やかな勾配となっており、反時計回り方向側の部分は急な勾配となっている。
【００１９】
外嵌部２１の内周面の開口側端部には、４つの抜け止め凸部３９が形成されている。これらの抜け止め凸部３９は、外嵌部２１の開口側から底側に向かって緩やかな上り勾配となっており、底側の部分は下り勾配となっている。
外嵌部２１の内周面に形成された凸部３８と、固定部１９の外周面に形成された傾斜面３４ａとによって、空転手段が構成されている。
外嵌部２１の底側には、略中心に５つの連通孔４１が形成されている。
外嵌部２１の側面には８つの滑り止め凹部４３が形成されており、これらの滑り止め凹部４３は軸方向に向かって延びている。また、滑り止め凹部４３は互いに等しい間隔を空けて配置されている。
【００２０】
外嵌部２１の嵌め込み穴３５は被嵌合部２７に対し外嵌めされている。被嵌合部２７のフランジ２５が外嵌部２１の抜け止め凸部３９に係止されることで、固定部１９が外嵌部２１から抜け止めされている。
固定部１９の取り付け部２３に形成された取り付け穴２８には雄ネジシャフト９が挿入され、雄ネジシャフト９の平坦部１５は雌ネジ穴３１に対向する状態となっている。雌ネジ穴３１には押ネジ３２が螺合され、この押ネジ３２の先端部が平坦部１５に圧接して、雄ネジシャフト９が取り付け穴２８に対し抜け止めされている。
【００２１】
符号４５は置き台を示し、この置き台４５はクランプ基部２の背面側に固定されている。図５に示すように、置き台４５の四隅には段差４７が形成されている。置き台４５の中央には凹面４９が形成され、この凹面４９の略中心には上下に連通する連通孔５１が形成されている。
【００２２】
符号５５はスタンドを示し、このスタンド５５は放射状に配置された３本の角材によって構成されるベース５７と、ベース５７の先端部下面に取り付けられるキャスター５９と、ベース５７の中心に立設するポール６１とによって構成されている。
【００２３】
クランプ装置１をスタンド５５のポール６１に取り付ける方法について説明する。
まず、ノブ１７の外嵌部２１を掴んで雄ネジシャフト９が緩む方向へ回して、進退把持部１１を固定把持部３から離間させる。そして、進退把持部１１の切り欠き１３と、固定把持部３の凹部４との間にポール６１が位置するように、クランプ装置１を備える。この状態でノブ１７を雄ネジシャフト９が締まる方向へ回す。これにより、雄ネジシャフト９がノブ１７と一体に回り、進退把持部１１が固定把持部３に対し近接していく。
図６に示すように、外嵌部２１を掴んでノブ１７を回す力が一定以下であるときは、外嵌部２１の凸部３８は固定部１９の傾斜面３４ａに圧接して係合しており、外嵌部２１と固定部１９とが一体に回る。
【００２４】
ノブ１７をさらに回して、外周面にある程度一定の力で進退把持部１１を圧接させ、ポール６１の一方の外周面が固定把持部３によって把持され、他方の外周面が進退把持部１１によって把持されて、ポール６１が切り欠き１３と凹部４との間でクランプされる状態となる。この状態では、外嵌部２１を掴んでノブ１７を回しても雄ネジシャフト９が進行しないので、雄ネジシャフト９を締める方向へ回す力が一定以上になる。雄ネジシャフト９が締まる方向へ回す力が一定以上になると、外嵌部２１が固定部１９に対し空転し、外嵌部２１を回す力は雄ネジシャフト９には伝達されず、雄ネジシャフト９は回転しない。
【００２５】
図７に示すように、前述のように外嵌部２１を掴んでノブ１７を回し、進退把持部１１をポール６１に対し近接させて外周面に圧接する状態になり、ノブ１７を雄ネジシャフト９が締まる方向へ回す力が一定の値より大きくなると、凸部３８が傾斜面３４ａを上る方向へ滑走し、さらに凸部３８が凸部３４を越える。これにより、凸部３８と傾斜面３４ａとの係合が解除され、外嵌部２１が固定部１９に対し空転する。従って、クランプ装置１のノブ１７を必要以上の力で回しても、外嵌部２１を回している力は雄ネジシャフト９には伝達されず、雄ネジシャフト９は回転しない。よって、雄ネジシャフト９による締め付けを常に適正なものとできる。
【００２６】
前述のように被係合部としての傾斜面３４ａどうしの間には切り欠き３３が形成されているため、被嵌合部２７の外周面がある程度弾性変形しやすい構成となっている。従って、外嵌部２１を回す力が一定の値より大きくなると被嵌合部２７の外周面が確実に弾性変形し、凸部３８が傾斜面３４ａを上る方向へ滑走する。
【００２７】
上記のようにして、置き台４５が取り付けられているクランプ装置１はポール６１の途中部分に固定される。
そして、輸液ポンプ６３の４つの脚部６５を置き台４５の４つの段差４７の上面にそれぞれ当接させるようにして、輸液ポンプ６３を置き台４５に載置する。次いで、置き台４５の下面から置き台４５の連通孔５１に図示しない固定ネジを挿通し、さらに輸液ポンプ６３の底部に形成される図示しない雌ネジ穴に螺合して、輸液ポンプ６３を置き台４５に固定する。
以上のように、雄ネジシャフト９による締め付けを常に適正なものとできるので、雄ネジシャフト９が曲がってしまうことはない。しかも、クランプ装置１は適正な締め付け力によってポール６１にしっかり固定され、置き台４５ごと輸液ポンプ６３が落下する事故を確実に防止することができる。
【００２８】
クランプ装置１をスタンド５５のポール６１から取り外す方法について説明する。
ノブ１７を雄ネジシャフト９が緩む方向へ回して、進退把持部１１を固定把持部３から離間させポール６１に対するクランプを解除する。さらにノブ１７を回して進退把持部１１を固定把持部３から離間させ、ポール６１からクランプ装置１を外す。
図８に示すように、凸部３４の時計回り方向側の部分には段部３４ｂが形成されているため、雄ネジシャフト９が緩む方向へ回るときには、凸部３８と段部３４ｂの係合が解除されないようになっている。従って、ポール６１の外周面に進退把持部１１が圧接させられた状態であっても、ノブ１７を雄ネジシャフト９が緩む方向へ確実に回すことができる。
【００２９】
以上、本発明の実施の形態について詳述してきたが、具体的構成は、この実施の形態に限られるものではなく、本発明の要旨を逸脱しない範囲における設計の変更などがあっても発明に含まれる。
例えば本発明のクランプ装置は上記した輸液ポンプ６３を載置する置き台４５を取り付けるものに限定されず、輸液ポンプ以外の装置、物品をポールの途中部分に支持する場合に用いてもよいのは勿論である。また、ポールはスタンドに備えられるものだけでなく、例えば上端部が天井に支持され、下端部が床に支持されるタイプのものなどであってもよい。
【００３０】
本実施の形態では、切り欠き３３を傾斜面３４ａどうしの間に形成したが、本発明はこれに限定されず、凸部３８どうしの間に切り欠き３３を形成してもよく、さらに傾斜面３４ａどうしの間と凸部３８どうしの間の両方に形成してもよい。
また、ノブ１７の外嵌部２１の形状は、本実施の形態では有底の円筒状を為していたが、有底の多角筒状等でもよい。
【産業上の利用可能性】
【００３１】
クランプ装置の製造業等に利用可能性を有する。
【符号の説明】
【００３２】
１…クランプ装置                    ２…クランプ基部
３…固定把持部                      ４…凹部
５…起立形状部                      ７…雌ネジ穴
９…雄ネジシャフト                １１…進退把持部
１３…切り欠き                      １５…平坦部
１７…ノブ                          １９…固定部
２１…外嵌部                        ２３…取り付け部
２５…フランジ                      ２７…被嵌合部
２８…取り付け穴                    ２９…平坦部
３１…雌ネジ穴                      ３２…押ネジ
３３…切り欠き                      ３４…凸部
３４ａ…傾斜面                      ３４ｂ…段部
３５…嵌め込み穴                    ３７…凸状基部
３８…凸部                          ３９…抜け止め凸部
４１…連通孔                        ４３…滑り止め凹部
４５…置き台                        ４７…段差
４９…凹面                          ５１…連通孔
５５…スタンド                      ５７…ベース
５９…キャスター                    ６１…ポール
６３…輸液ポンプ                    ６５…脚部
【図１】
2014226339.tif 000003
【図２】
2014226339.tif 000004
【図３】
2014226339.tif 000005
【図４】
2014226339.tif 000006
【図５】
2014226339.tif 000007
【図６】
2014226339.tif 000008
【図７】
2014226339.tif 000009
【図８】
2014226339.tif 000010